(57)【要約】      （修正有）【課題】電子デバイスおよび単層相互静電容量方式タッチスクリーンを実現する。【解決手段】タッチスクリーンは、第1の方向に、平行に配設された複数のセンシング電極グループ２０、複数のボンディングパッド２１、複数の第1のリード線２２、および複数の第2のリード線２３を備える。センシング電極グループ２０は、複数の第1の電極を備える第1のユニットと複数の電極対２５を備える第2のユニットとを具備する。電極対２５は、第1のユニットの第1の側部に第2の電極２５１、および第1のユニットの第2の側部に第3の電極２５２を備える。第1のリード線２２および第2のリード線２３は、第1の電極および電極対２５をそれぞれ対応するボンディングパッド２１と接続する。任意の2つの隣接する電極対２５において、2つの第2の電極２５１と2つの第3の電極２５２の両方の隣接する端部は、第1の方向で第1の電極に対向する。【選択図】図２
2017049989.tif 000002
【特許請求の範囲】
【請求項１】
単層相互静電容量方式タッチスクリーンであって、複数のセンシング電極グループ、複数のボンディングパッド、複数の第1のリード線、および複数の第2のリード線を備え、ここにおいて、
前記複数のセンシング電極グループは、第1の方向に、平行に配設され、前記センシング電極グループの各々は、第2の方向に延在する第1のユニットおよび前記第1のユニットを囲む第2のユニットを備え、ここにおいて、前記第1の方向は、前記第2の方向に垂直であり、
前記第1のユニットは、前記第2の方向に配置構成されたm個の第1の電極を備え、ここで、mは、1よりも大きい正整数であり、
前記第2のユニットは、前記第2の方向に配置構成されたi個の電極対を備え、ここで、iは、1よりも大きい正整数であり、ここにおいて、前記電極対の各々は、前記第1のユニットの第1の側部に配設された第2の電極と、前記第1のユニットの第2の側部に配設された第3の電極とを備え、前記第1の側部から前記第2の側部に向かう方向が前記第1の方向であり、前記第2の電極は、前記第3の電極と電気的に接続され、
前記第1のリード線は、前記第1の電極との一対一対応関係を有し、前記第1のリード線は、前記第1の電極を前記第1の電極に対応する前記ボンディングパッドと接続するように構成され、
前記第2のリード線は、前記電極対との一対一対応関係を有し、前記第2のリード線は、前記電極対を前記電極対に対応する前記ボンディングパッドと接続するように構成され、
ここにおいて、任意の2つの隣接する電極対において、2つの隣接する第2の電極の間の間隙は、前記第1の方向で前記第1の電極のうちの1つに対向し、2つの隣接する第3の電極の間の間隙は、前記第1の方向で前記第1の電極のうちの前記1つに対向する単層相互静電容量方式タッチスクリーン。
【請求項２】
前記単層相互静電容量方式タッチスクリーンは、第1の端部と第2の端部とを備え、前記第1の端部から前記第2の端部へ向かう方向は、前記第2の方向であり、
前記複数のボンディングパッドは、前記第1の端部に配設され、前記第1の方向に配置構成される、
請求項1に記載の単層相互静電容量方式タッチスクリーン。
【請求項３】
前記センシング電極グループのうちの1つについて、
前記第1のリード線は、前記センシング電極グループの側部に配置され、
前記第2のリード線は、前記センシング電極グループの他の側部に配置される、
請求項2に記載の単層相互静電容量方式タッチスクリーン。
【請求項４】
2つの隣接するセンシング電極グループの形状構造は、鏡面対象である、または
2つの隣接するセンシング電極グループは、同じ形状構造を有する、
請求項3に記載の単層相互静電容量方式タッチスクリーン。
【請求項５】
前記第1の電極のうちの1番目の電極の一部は、前記第1の方向で前記第2の電極のうちの1番目の電極の全体に対向して配設され、前記第1の方向で前記第3の電極のうちの1番目の電極の全体に対向して配設される、または
前記第1の電極のうちの前記1番目の電極の全体は、前記第1の方向で前記第2の電極のうちの前記1番目の電極の一部に対向して配設され、前記第1の方向で前記第3の電極のうちの前記1番目の電極の一部に対向して配設される、
請求項1に記載の単層相互静電容量方式タッチスクリーン。
【請求項６】
前記第1の電極のうちのm番目の電極の一部は、前記第1の方向で前記第2の電極のうちのi番目の電極の全体に対向して配設され、前記第1の方向で前記第3の電極のうちのi番目の電極の全体に対向して配設される、または
前記第1の電極のうちの前記m番目の電極の全体は、前記第1の方向で前記第2の電極のうちの前記i番目の電極の一部に対向して配設され、前記第1の方向で前記第3の電極のうちの前記i番目の電極の一部に対向して配設される、
請求項1に記載の単層相互静電容量方式タッチスクリーン。
【請求項７】
前記第1の電極の各々は、矩形の形状をとる、請求項1に記載の単層相互静電容量方式タッチスクリーン。
【請求項８】
前記第1のユニット内の2つの隣接する第1の電極は、前記第1の方向に互いに部分的に対向して配設される、請求項1に記載の単層相互静電容量方式タッチスクリーン。
【請求項９】
前記第1の電極の各々は、前記第2の方向に延在する第1の平面電極と、前記第2の方向に延在する第2の平面電極とを備え、
前記第1の平面電極は、前記第2の平面電極と接続され、前記第2の平面電極の幅は、前記第1の方向で前記第1の平面電極の幅よりも小さく、
2つの隣接する第1の電極は、前記2つの隣接する第1の電極の前記第2の平面電極によって前記第1の方向に互いに部分的に対向して配設される、
請求項8に記載の単層相互静電容量方式タッチスクリーン。
【請求項１０】
前記第1の平面電極および前記第2の平面電極の各々は、矩形の形状をとる、請求項9に記載の単層相互静電容量方式タッチスクリーン。
【請求項１１】
請求項1から10のいずれか一項に記載の前記単層相互静電容量方式タッチスクリーンを備える電子デバイス。
【発明の詳細な説明】
【技術分野】
【０００１】
本開示は、タッチ技術(touch technology)の分野に関するものであり、具体的には、電子デバイスおよびその単層相互静電容量方式タッチスクリーンに関するものである。
【背景技術】
【０００２】
現在、静電容量方式タッチスクリーンは、人間とコンピュータとの間の相互作用のための重要な構成要素として、携帯電話およびタブレットコンピュータなどの電子製品に広く応用されている。特に、単層相互静電容量方式タッチスクリーンは、現在広く応用されている。単層相互静電容量方式タッチスクリーンのタッチセンシング電極(touch sensing electrode)、タッチ駆動電極(touch drive electrode)、および電極配線が、オーバーブリッジング(over-bridging)なしで同じ層内に透明電極により用意され、それによって、単純な加工プロセス、低コスト、および高いコストパフォーマンスを達成する。したがって、単層相互静電容量方式タッチスクリーンは、一般の注目を集めることが多くなってきており、静電容量方式タッチスクリーンの重要な開発方向となっている。
【０００３】
図1に示されているように、現在の単層静電容量方式タッチスクリーンの電極パターンは、X方向に、平行に配置構成されている4つの第1の電極X1からX4を備える。第1の電極の各々は、Y方向に、順次配置構成された15個の第2の電極Y1からY15と結合されて、複数のセンシングノード12を形成する。第1の電極の各々は、第1の電極に対応する第1のリード線14によって第1の電極に対応するボンディングパッド13と接続される。第2の電極の各々は、第2の電極に対応する第2のリード線15によって第2の電極に対応するボンディングパッド13と接続される。ボンディングパッド13は、FPC(フレキシブルプリント回路、図1に図示せず)と接続される。FPCは、タッチチップ(図1に図示せず)と接続される。タッチチップは、センシングノード12の静電容量の変化を検出するために使用され、ユーザのタッチ位置に関する情報を決定する。ボンディングパッド13は、ボンディング領域11内に配設される。第1のリード線14および第2のリード線15は、単層相互静電容量方式タッチスクリーンの配線である。
【０００４】
図1に対応する設定サイズを有する単層相互静電容量方式タッチスクリーンでは、図1に示されている構造内の電極パターンの結果、単層相互静電容量方式タッチスクリーンの配線ブラインドゾーンL0の幅が大きく、さらに、タッチ精度は悪くなる。また、図1の構造内の電極パターンの結果、ボンディングパッドの数および単層相互静電容量方式タッチスクリーン内の配線の数は多くなり、また加工コストが高くなる。
【発明の概要】
【発明が解決しようとする課題】
【０００５】
上で説明されている技術的問題を解決するために、本開示は、電子デバイスおよびその単層相互静電容量方式タッチスクリーンを実現する。
【課題を解決するための手段】
【０００６】
上で説明されている目的を実現するために、本開示は次のような技術的解決方法を提供する。
【０００７】
複数のセンシング電極グループ、複数のボンディングパッド、複数の第1のリード線、および複数の第2のリード線を備える、単層相互静電容量方式タッチスクリーンが実現される。
【０００８】
複数のセンシング電極グループは、第1の方向に、平行に配設され、センシング電極グループの各々は、第2の方向に延在する第1のユニットおよび第1のユニットを囲む第2のユニットを備え、第1の方向は、第2の方向に垂直である。
【０００９】
第1のユニットは、第2の方向に配置構成されたm個の第1の電極を備え、ここで、mは、1より大きい正整数である。
【００１０】
第2のユニットは、第2の方向に配置構成されたi個の電極対を備え、ここで、iは、1より大きい正整数であり、電極対の各々は、第1のユニットの第1の側部に配設された第2の電極と第1のユニットの第2の側部に配設された第3の電極とを備え、第1の側部から第2の側部に向かう方向は、第1の方向であり、第2の電極は、第3の電極と電気的に接続されている。
【００１１】
第1のリード線は、第1の電極との一対一対応関係を有し、第1のリード線は、第1の電極を第1の電極に対応するボンディングパッドと接続するように構成される。
【００１２】
第2のリード線は、電極対との一対一対応関係を有し、第2のリード線は、電極対を電極対に対応するボンディングパッドと接続するように構成される。
【００１３】
特に、任意の2つの隣接する電極対において、2つの隣接する第2の電極の間の間隙は、第1の方向で第1の電極のうちの1つに対向し、2つの隣接する第3の電極の間の間隙は、第1の方向で第1の電極のうちの1つに対向する。
【００１４】
好ましくは、上で説明されている単層相互静電容量方式タッチスクリーンにおいて、単層相互静電容量方式タッチスクリーンは、第1の端部と第2の端部とを備え、第1の端部から第2の端部へ向かう方向は、第2の方向であるものとしてよい。
【００１５】
複数のボンディングパッドが、第1の端部に配設されるものとしてよく、第1の方向に配置構成され得る。
【００１６】
好ましくは、上で説明されている単層相互静電容量方式タッチスクリーンにおいて、センシング電極グループのうちの1つについて、
第1のリード線は、センシング電極グループの側部に配置されるものとしてよく、
第2のリード線は、センシング電極グループの他の側部に配置されるものとしてよい。
【００１７】
好ましくは、上で説明されている単層相互静電容量方式タッチスクリーンにおいて、2つの隣接するセンシング電極グループの形状構造は、鏡面対称であってよい。
【００１８】
代替的に、2つの隣接するセンシング電極グループは、同じ形状構造を有し得る。
【００１９】
好ましくは、上で説明されている単層相互静電容量タッチスクリーンにおいて、第1の電極のうちの1番目の電極の一部は、第1の方向で第2の電極のうちの1番目の電極の全体に対向して配設され得、第1の方向で第3の電極のうちの1番目の電極の全体に対向して配設され得る。
【００２０】
代替的に、第1の電極のうちの1番目の電極の全体は、第1の方向で第2の電極のうちの1番目の電極の一部に対向して配設され得、第1の方向で第3の電極のうちの1番目の電極の一部に対向して配設され得る。
【００２１】
好ましくは、上で説明されている単層相互静電容量方式タッチスクリーンにおいて、第1の電極のうちのm番目の電極の一部は、第1の方向で第2の電極のうちのi番目の電極の全体に対向して配設され得、第1の方向で第3の電極のうちのi番目の電極の全体に対向して配設され得る。
【００２２】
代替的に、第1の電極のうちのm番目の電極の全体は、第1の方向で第2の電極のうちのi番目の電極の一部に対向して配設され得、第1の方向で第3の電極のうちのi番目の電極の一部に対向して配設され得る。
【００２３】
好ましくは、上で説明されている単層相互静電容量方式タッチスクリーンにおいて、第1の電極の各々は、矩形の形状をとり得る。
【００２４】
好ましくは、上で説明されている単層相互静電容量方式タッチスクリーンにおいて、第1のユニット内の2つの隣接する第1の電極は、第1の方向に互いに部分的に対向して配設され得る。
【００２５】
好ましくは、上で説明されている単層相互静電容量方式タッチスクリーンにおいて、第1の電極の各々は、第2の方向に延在する第1の平面電極と、第2の方向に延在する第2の平面電極とを備え得る。
【００２６】
第1の平面電極は、第2の平面電極と接続されるものとしてよく、第2の平面電極の幅は、第1の方向で第1の平面電極の幅よりも小さいものとしてよい。
【００２７】
2つの隣接する第1の電極は、2つの隣接する第1の電極の第2の平面電極によって第1の方向に互いに部分的に対向して配設され得る。
【００２８】
好ましくは、上で説明されている単層相互静電容量方式タッチスクリーンにおいて、第1の平面電極および第2の平面電極の各々は、矩形の形状をとり得る。
【００２９】
本開示は、上で説明されている単層相互静電容量方式タッチスクリーンのうちの任意の1つを備える電子デバイスをさらに実現する。
【００３０】
上で説明されている技術的解決方法から、本開示で実現される単層相互静電容量方式タッチスクリーンは、複数のセンシング電極グループ、複数のボンディングパッド、複数の第1のリード線、および複数の第2のリード線を備えることがわかる。センシング電極グループは、第1の方向に、平行に配設され、センシング電極グループの各々は、第2の方向に延在する第1のユニットおよび第1のユニットを囲む第2のユニットを備える。第1の方向は、第2の方向に垂直である。第1のユニットは、第2の方向に配置構成されたm個の第1の電極を備え、ここで、mは、1より大きい正整数である。第2のユニットは、第2の方向に配置構成されたi個の電極対を備え、ここで、iは、1より大きい正整数である。電極対の各々は、第1のユニットの第1の側部に配設された第2の電極と第1のユニットの第2の側部に配設された第3の電極とを備える。第1の側部から第2の側部に向かう方向は、第1の方向である。第2の電極は、第3の電極と電気的に接続されている。第1のリード線は、第1の電極との一対一対応関係を有し、第1のリード線は、第1の電極を第1の電極に対応するボンディングパッドと接続するように構成される。第2のリード線は、電極対との一対一対応関係を有し、第2のリード線は、電極対を電極対に対応するボンディングパッドと接続するように構成される。特に、2つの隣接する電極対において、2つの第2の電極の隣接する端部は、第1の方向で第1の電極のうちの1つに対向し、2つの第3の電極の隣接する端部は、第1の方向で第1の電極のうちの1つに対向する。
【００３１】
上で説明されている単層相互静電容量方式タッチスクリーンでは、2つの隣接する電極対において、2つの第2の電極の隣接する端部は、第1の方向で第1の電極に対向し、2つの第3の電極の隣接する端部は、第1の方向で第1の電極に対向する。このようにして、センシングノードの数は増やされ、リード線の数は減らされるが、従来の技術に比べてセンシングノードの数を減らすことはない。また、リード線の数を減らすことで、ブラインドゾーンの幅を縮小し、タッチ精度を改善し、ボンディングパッドの数を減らし、コストを低減することができる。
【００３２】
本開示の実施形態における、または従来技術における技術的解決方法をより明確に示すために、以下では、実施形態または従来技術の説明において必要とされる図面が簡単に紹介される。明らかに、次の説明における図面は、本開示の実施形態を示している。当業者にとって、他の図面も創造的作業を伴うことなく図面に従って得られるものとしてよい。
【図面の簡単な説明】
【００３３】
【図１】従来技術に共通である単層相互静電容量方式タッチスクリーンの概略構造図である。
【図２】本開示の一実施形態による単層相互静電容量方式タッチスクリーンの概略構造図である。
【図３】本開示の別の実施形態による単層相互静電容量方式タッチスクリーンの概略構造図である。
【図４】本開示のさらに別の実施形態による単層相互静電容量方式タッチスクリーンの概略構造図である。
【図５ａ】本開示の一実施形態によるセンシング電極グループの概略構造図である。
【図５ｂ】本開示の別の実施形態によるセンシング電極グループの概略構造図である。
【図５ｃ】本開示のさらに別の実施形態によるセンシング電極グループの概略構造図である。
【図６】本開示のさらに別の実施形態による単層相互静電容量方式タッチスクリーンの概略構造図である。
【図７】本開示のさらに別の実施形態による単層相互静電容量方式タッチスクリーンの概略構造図である。
【図８】本開示のさらに別の実施形態による単層相互静電容量方式タッチスクリーンの概略構造図である。
【図９】本開示の一実施形態による電子デバイスの概略構造図である。
【発明を実施するための形態】
【００３４】
これ以降、本開示の実施形態における技術的解決方法は、本開示の実施形態における図面と併せて明確にかつ完全に説明される。明らかに、説明されている実施形態は、本開示の実施形態のすべてではなくむしろ一部にすぎない。創造的労力を伴うことなく本開示の実施形態に基づいて当業者によって得られる他のすべての実施形態は、本開示の保護の範囲内に収まる。
【００３５】
本開示の一実施形態による単層相互静電容量方式タッチスクリーンの概略構造図である、図2を参照すると、単層相互静電容量方式タッチスクリーンは、複数のセンシング電極グループ20、複数のボンディングパッド21、複数の第1のリード線22、および複数の第2のリード線23を備える。
【００３６】
複数のセンシング電極グループ20は、第1の方向Xに平行に配設される。センシング電極グループ20の各々は、第2の方向Yに延在する第1のユニットと第1のユニットを囲む第2のユニットとを備える。第1の方向Xは、第2の方向Yに垂直である。
【００３７】
第1のユニットは、第2の方向Yに配置構成されたm個の第1の電極24を備え、ここで、mは、1よりも大きい正整数である。
【００３８】
第2のユニットは、第2の方向Yに配置構成されたi個の電極対25を備え、ここで、iは、1よりも大きい正整数である。電極対25の各々は、第1のユニットの第1の側部に配設された第2の電極251と第1のユニットの第2の側部に配設された第3の電極252とを備える。第1の側部から第2の側部に向かう方向は、第1の方向Xである。電極対25の一方において、第2の電極251は、第3の電極252と電気的に接続される。
【００３９】
第1のリード線22は、第1の電極24との一対一対応関係を有し、第1のリード線22は、第1の電極24を第1の電極24に対応するボンディングパッド21と接続するように構成される。
【００４０】
第2のリード線23は、電極対25との一対一対応関係を有し、第2のリード線23は、電極対25を電極対25に対応するボンディングパッド21と接続するように構成される。
【００４１】
センシング電極グループ20のうちの1つにおいて、2つの隣接する第1の電極24は絶縁され、2つの隣接する第2の電極251は絶縁され、2つの隣接する第3の電極252は絶縁される。単層相互静電容量方式タッチスクリーンは、本開示の実施形態において実現されるので、第1の電極24、第2の電極251、および第3の電極252は、透明導電層内に用意され、同じ平面内に配置される。したがって、2つの隣接する第1の電極24の間の間隙が存在し、2つの隣接する第2の電極251の間の間隙が存在し、2つの隣接する第3の電極252の間の間隙が存在する。
【００４２】
特に、第2の方向Yにある任意の2つの隣接する電極対に対して、2つの隣接する第2の電極251の間の間隙は、第1の方向Xで第1の電極24のうちの1つに対向し、2つの隣接する第3の電極252の間の間隙は、第1の方向Xで第1の電極24のうちの1つに対向する。
【００４３】
本開示の実施形態において、1つの第1の電極24が、第1の方向Xで2つの隣接する電極対25に対向して配設され、それによって、センシングノード26の数を増やす。このようにして、本開示の実施形態は、リード線の数を減らすことができ、しかも従来技術に比べてセンシングノード26の数を減らすことはない。リード線の数を減らすことで、ブラインドゾーンL0の幅を縮小し、タッチ精度を改善し、ボンディングパッド21の数を減らし、コストを低減することができる。また、ボンディングパッド21の数を減らすことで、ボンディング領域L1の長さを短くすることができ、さらに、FPCの作動長さを縮小し、コストを低減することができる。
【００４４】
適宜、単層相互静電容量方式タッチスクリーンは、第1の端部と第2の端部とを備える。第1の端部から第2の端部に向かう方向は、第2の方向Yである。複数のボンディングパッド21が、第1の端部に配設され、第1の方向に配置構成される。センシング電極グループ20のうちの1つについて、第1のリード線22は、センシング電極グループ20の側部に配置され、第2のリード線23は、センシング電極グループ20の他の側部に配置される。
【００４５】
すべてのボンディングパッド21は、同じ端部に配設され、第1のリード線22は、センシング電極グループ20の同じ側部に配置され、第2のリード線23は、センシング電極グループ20の同じ側部に配置され、それによって、第1のリード線22および第2のリード線23に対するレイアウトを円滑にし、加工プロセスを簡素化する。
【００４６】
本開示の別の実施形態による単層相互静電容量方式タッチスクリーンの概略構造図である、図3を参照すると、実施形態における2つの隣接するセンシング電極グループ30の形状構造は、鏡面対象である。実施形態において、電極の構造は、より十分な対称性を有し、それによって、タッチの直線性を改善する。
【００４７】
本開示のさらに別の実施形態による単層相互静電容量方式タッチスクリーンの概略構造図である、図4を参照すると、実施形態における2つの隣接するセンシング電極グループ40は、同じ形状構造を有する。実施形態において、センシング電極グループは、同じ電極パターンを有し、それによって、加工プロセスを簡素化する。
【００４８】
センシング電極グループでは、第2の方向Yにおけるm個の第1の電極は、順次第1の電極のうちの1番目の電極から第1の電極のうちのm番目の電極までであると定義され、第2の方向Yにおけるi個の電極対は、順次1番目の電極対からi番目の電極対までであると定義され、第2の方向Yにおけるi個の第2の電極は、順次第2の電極のうちの1番目の電極から第2の電極のうちのi番目の電極までであると定義され、第2の方向Yにおけるi個の第3の電極は、順次第3の電極のうちの1番目の電極から第3の電極のうちのi番目の電極までであると定義される。図2から図4に示されている実施形態では、第1の電極のうちの1番目の電極の一部は、第1の方向で第2の電極のうちの1番目の電極の全体に対向して配設され、第1の方向で第3の電極のうちの1番目の電極の全体に対向して配設される。すなわち、第1の電極のうちの1番目の電極の突出は、第2の電極の1番目の電極の突出と部分的に重なり、第2の方向Yに平行な直線内で第3の電極のうちの1番目の電極の突出と部分的に重なる。第1の電極のうちのm番目の電極の全体は、第1の方向で第2の電極のうちのi番目の電極の一部に対向して配設され、第1の方向で第3の電極のうちのi番目の電極の一部に対向して配設される。すなわち、第1の電極のうちのm番目の電極の突出は、第3の電極のうちのi番目の電極の突出内に収まり、第2の方向Yに平行な直線内で第2の電極のうちのi番目の電極の突出内に収まる。この場合、iは、図2から図4に示されているように、mに等しい。
【００４９】
さらに、電極は、次のようにも配設され得る。第1の電極のうちの1番目の電極の一部は、第1の方向で第2の電極のうちの1番目の電極の全体に対向して配設され、第1の方向で第3の電極のうちの1番目の電極の全体に対向して配設され、第1の電極のうちのm番目の電極の一部は、第1の方向で第2の電極のうちのi番目の電極の全体に対向して配設され、第1の方向で第3の電極のうちのi番目の電極の全体に対向して配設される。この場合、iは、図5aに示されているように、m+1に等しい。電極の全体および電極の一部に対する対向する配設は、上で説明されている配設に類似している。
【００５０】
さらに、電極は、次のようにも配設され得る。第1の電極のうちの1番目の電極の全体は、第1の方向で第2の電極のうちの1番目の電極の一部に対向して配設され、第1の方向で第3の電極のうちの1番目の電極の一部に対向して配設され、第1の電極のうちのm番目の電極の全体は、第1の方向で第2の電極のうちのi番目の電極の一部に対向して配設され、第1の方向で第3の電極のうちのi番目の電極の一部に対向して配設される。この場合、iは、図5bに示されているように、m-1に等しい。電極の全体および電極の一部に対する対向する配設は、上で説明されている配設に類似している。
【００５１】
さらに、電極は、次のようにも配設され得る。第1の電極のうちの1番目の電極の全体は、第1の方向で第2の電極のうちの1番目の電極の一部に対向して配設され、第1の方向で第3の電極のうちの1番目の電極の一部に対向して配設され、第1の電極のうちのm番目の電極の一部は、第1の方向で第2の電極のうちのi番目の電極の全体に対向して配設され、第1の方向で第3の電極のうちのi番目の電極の全体に対向して配設される。この場合、iは、図2から図4に示されているように、mに等しい。電極の全体および電極の一部に対する対向する配設は、上で説明されている配設に類似している。
【００５２】
図2から図4に示されている実施形態では、1つの第1のユニットにおいて、2つの隣接する第1の電極が、第1の方向で互いに部分的に対向して配設され、それによって、さらに、センシングノードの数を増やし、電極の数を減らし、リード線の数およびボンディングパッドの数を減らし、ブラインドゾーンを狭め、コストを低減する。
【００５３】
図2を例に取ると、2つの隣接する第1の電極24は、第1の方向Xで対向する部分を有し、対向する部分の幅は、第1の電極の幅よりも小さい。0.5のセンシングノード(楕円262で示されているような)は、2つの隣接する第1の電極24の対向する部分によって加えられ得る。1つのセンシングノード(楕円261で示されているような)は、第1の電極の全幅に対応する。
【００５４】
2つの隣接する第1の電極が第1の方向で互いに部分的に対向して配設される場合、第1の電極の構造は、図5aから図5cに示されているものとしてよい。
【００５５】
図5cを例に取ると、センシング電極グループ内の第1の電極51は、少なくとも、第2の方向Yに延在する第1の平面電極511および第2の方向Yに延在する第2の平面電極512を備える。第1の平面電極511は、第2の平面電極512と接続される。第2の平面電極512の幅は、第1の方向Xで第1の平面電極511の幅よりも小さい。2つの隣接する第1の電極51は、2つの隣接する第1の電極51の第2の平面電極512によって第1の方向Xに互いに部分的に対向して配設される。
【００５６】
第1の平面電極および第2の平面電極の各々は、矩形の形状をとり、単純なパターン構造を有するので、パターン設計だけでなく、加工手順も比較的容易であり、それによって、スクリーン工場のエッチング歩留まりを改善する。また、パターン結合の方法は単純なので、パターンの光学的効果は、より均一であり、スクリーン本体は、良好な外観を有する。第1の平面電極511の端部から延在する第2の平面電極は、矩形の形状であることに限定されず、たとえば、三角形の形状もとり得る。
【００５７】
ただ1つの第1の電極51が、第2の方向で第1の電極51に隣接している場合、第2の平面電極512は、第1の電極51の端部にのみ配設される。2つの第1の電極51が、第2の方向で第1の電極51に隣接している場合、2つの第2の平面電極512は、それぞれ、第1の電極51の2つの端部に配設される。図5cに示されている実施形態において、第1の電極51、第2の電極52、および第3の電極53は、矩形の構造をとり、それによって、単純な加工プロセスを有する。第2の平面電極512は、第1の平面電極511の一方の端部から延在し、第2の平面電極512および第1の平面電極511は、一体化構造をとる。
【００５８】
さらに、電極は、次のようにも配設され得る。第2の方向Yにおける2つの隣接する第1の電極は、第1の方向Xに対向する部分を有し得ない。この場合、第1の電極は、平面電極であり、単層相互静電容量方式タッチスクリーンの構造は、図6から図8に示されているものとしてよい。
【００５９】
本開示のさらに別の実施形態による単層相互静電容量方式タッチスクリーンの概略構造図である、図6を参照すると、第1の電極61は、平面電極であり、第2の電極62および第3の電極63の各々は、平面電極である。1つの電極対において、第2の電極62は、第3の電極63と同じ構造を有し、第3の電極63と対称的に配設される。センシング電極グループ60は、同じ形状構造を有する。
【００６０】
本開示のさらに別の実施形態による単層相互静電容量方式タッチスクリーンの概略構造図である、図7を参照すると、第1の電極71は、平面電極であり、第2の電極72および第3の電極73の各々は、平面電極である。1つの電極対において、第2の電極72は、第3の電極73と同じ構造を有し、第2の電極72は、第1の方向Xで第3の電極73に部分的に対向して配設される。2つの隣接するセンシング電極グループ70の構造は、鏡面対象である。
【００６１】
本開示のさらに別の実施形態による単層相互静電容量方式タッチスクリーンの概略構造図である、図8を参照すると、第1の電極81は、平面電極であり、第2の電極82および第3の電極83の各々は、平面電極である。1つの電極対において、第2の電極82は、第3の電極83と同じ構造を有し、第2の電極82は、第1の方向Xで第3の電極83に部分的に対向して配設される。2つの隣接するセンシング電極グループ80の構造は、鏡面対象である。
【００６２】
本開示の実施形態による単層相互静電容量方式タッチスクリーンにおいて、第1の電極に対応する第1のリード線は、2つの隣接する第2の電極間の間隙から、または2つの隣接する第3の電極間の間隙から導き出され得る。第1の電極に対応するリード線は、第1の電極に対向する第2の電極または第3の電極上のスリットからも導き出され得る。第1の電極のうちの1番目の電極に対応する第1のリード線は、第1の端部まで導かれるものとしてよく、第1の電極のうちのm番目の電極に対応する第1のリード線は、第2の端部まで導かれるものとしてよい。
【００６３】
これ以降、本開示の実施形態の利点は、図1に示されている実施形態を図2に示されている実施形態と比較することによって例示され得る。
【００６４】
図1に示されている実施形態において、センシング電極グループの各々は、15個の第2の電極と1つの第1の電極とを備える。第1の電極の長さは、15ピッチに設定され得る。1つのセンシング電極グループでは、15個のセンシングノード12があり、16本のリード線および16個のボンディングパッドが必要である。
【００６５】
図2に示されている実施形態では、パネルの長さも、15ピッチとなるように設定される。センシング電極グループ20の各々は、6個の第1の電極24、6個の電極対、および18.5のセンシングノード26を備える。特に、第1の電極の対向する部分のすべてが、2.5のセンシングノード26に寄与する。1つのセンシング電極グループ20内に、12本のリード線および12個のボンディングパッド21が必要である。
【００６６】
図1に示されている実施形態を図2に示されている実施形態と比較することによって、本開示の実施形態による技術的解決方法は、センシングノードの数を増やし、リード線の数およびボンディングパッドの数を減らすことができ、それによって、ブラインドゾーンの幅を短くし、タッチ精度を改善し、コストを低減する。
【００６７】
本開示の実施形態において、電子デバイスがさらに実現され、本開示の一実施形態による電子デバイスの概略構造図である、図9を参照すると、電子デバイス91は、上で説明されている実施形態による単層相互静電容量方式タッチスクリーン92を備える。
【００６８】
電子デバイスは、タッチスクリーンを有する任意の電子デバイスであってよい。この電子デバイスは、加工コストが安く、タッチ精度が高い。
【００６９】
当業者は、開示されている実施形態の上記の説明に従って、本開示を実装または実施することができる。これらの実施形態に対する多くの変更は、当業者にとっては明白であり、本明細書で定義されている一般原理は、本開示の精神または範囲から逸脱することなく他の実施形態でも実装され得る。したがって、本開示は、本明細書において開示されている実施形態に限定されないが、本明細書で開示されている原理および新規性のある特徴に従って最も広い範囲に適合するものである。
【００７０】
本出願は、参照によりその全体が本明細書に組み込まれている、2015年8月31日に中国知識産権局に出願した中国特許出願第201520670671.9号、名称「ELECTRONIC DEVICE AND SINGLE-LAYER MUTUAL-CAPACITANCE TOUCH SCREEN THEREOF」の優先権を主張するものである。
【符号の説明】
【００７１】
L0  配線ブラインドゾーン
L1  ボンディング領域
X1からX4  第1の電極
Y1からY15  第2の電極
11  ボンディング領域
12  センシングノード
13  ボンディングパッド
14  第1のリード線
15  第2のリード線
20  センシング電極グループ
21  ボンディングパッド
22  第1のリード線
23  第2のリード線
24  第1の電極
25  電極対
26  センシングノード
30  センシング電極グループ
40  センシング電極グループ
51  第1の電極
52  第2の電極
53  第3の電極
60  センシング電極グループ
61  第1の電極
62  第2の電極
63  第3の電極
70  センシング電極グループ
71  第1の電極
72  第2の電極
73  第3の電極
80  センシング電極グループ
81  第1の電極
82  第2の電極
83  第3の電極
91  電子デバイス
92  単層相互静電容量方式タッチスクリーン
251  第2の電極
252  第3の電極
511  第1の平面電極
512  第2の平面電極
【図１】
2017049989.tif 000003
【図２】
2017049989.tif 000004
【図３】
2017049989.tif 000005
【図４】
2017049989.tif 000006
【図５ａ】
2017049989.tif 000007
【図５ｂ】
2017049989.tif 000008
【図５ｃ】
2017049989.tif 000009
【図６】
2017049989.tif 000010
【図７】
2017049989.tif 000011
【図８】
2017049989.tif 000012
【図９】
2017049989.tif 000013
【外国語明細書】
2017049989000001.pdf